(57)【要約】本発明は、例えば、プリアンブルを送信するパワーを段階的に増大させ（パワーランピング）、このパワーを少なくとも１つの極値によって制限し、この極値に相応するパワーで繰り返して送信が行われるようにするというアイデアに基づいている。
2004511951.tif 000002
【特許請求の範囲】
【請求項１】
パワー制御の方法において、
理想パワーを計算し（２２）、
最大ないしは最小の極値パワーによって表される境界内に該理想パワーがある場合、当該理想パワーでプリアンブルを移動局から送信し、
最大ないしは最小の極値パワーによって表される境界の外部に前記理想パワーがある場合、最大の極値パワーで、ないしは最小の極値パワーと、計算した理想パワーとの間にあるパワーで、プリアンブルを移動局から送信し、
基地局による前記プリアンブルの受信を、当該基地局から前記移動局に送信される確認メッセージによって確認し、
確認メッセージがない場合には、インクリメントによって、プリアンブルの新たな理想パワーを計算する（２１１）ことを特徴とする、
パワー制御の方法。
【請求項２】
前記の計算した理想パワーが最大の極値パワーよりも大きい場合、前記のプリアンブルを最大の極値パワーで送信する、
請求項１に記載の方法。
【請求項３】
前記の最大の極値パワーによるプリアンブルの繰り返しの送信を所定の繰り返し数によって制限する、
請求項１または２に記載の方法。
【請求項４】
前記の計算した理想パワーが、最大の極値パワーを少なくとも所定の閾値分だけ上回った場合、プリアンブルの繰り返しの送信を中断する、
請求項１から３までのいずれか１項に記載の方法。
【請求項５】
前記の理想パワーの計算を、最後に計算した理想パワーのインクリメントによって行う、
請求項１から４までのいずれか１項に記載の方法。
【請求項６】
最初に計算される理想パワーとして、求めた初期パワーを使用する、
請求項１から５までのいずれか１項に記載の方法。
【請求項７】
前記の計算した理想パワーが最小の極値パワーよりも小さい場合、前記のプリアンブルを最小の極値パワーで送信する、
請求項１から６までのいずれか１項に記載の方法。
【請求項８】
前記の計算した理想パワーが最小の極値パワーよりも小さい場合、前記のプリアンブルを最小の極値パワーで送信する、
請求項１から６までのいずれか１項に記載の方法。
【請求項９】
一定のパワーによるプリアンブルの繰り返しの送信を所定の繰り返し数の後に中断し、最後に送信したプリアンブルのパワーが、前記の最小の極値パワーと、計算した理想パワーとの間にある場合、最後に送信したプリアンブルのパワーをインクリメントすることによって新たな理想パワーを計算する、
請求項１から８までのいずれか１項に記載の方法。
【請求項１０】
パワー制御に続くデータ伝送のパワー要求を考慮して、プリアンブルの送信の繰り返し数を減少させる、
請求項１から９までのいずれか１項に記載の方法。
【請求項１１】
パワー制御の装置において、
プリアンブルを送信する送信装置（ＳＥ）と、
確認メッセージを受信する受信装置（ＥＥ）と、
前記送信装置のパワーを制御する制御装置（ＳＴＥ）とを有しており、
該制御装置を構成して、
プリアンブルが初期パワーで送信され、
確認メッセージがない場合には、インクリメントによってプリアンブルの理想パワーが計算され、
該理想パワーが、最大ないしは最小の極値パワーによって表される制限内にある場合、前記プリアンブルが当該理想パワーで送信され、
前記理想パワーが、最大ないしは最小の極値パワーによって表される制限の外にある場合、前記プリアンブルが最大ないしは最小の極値パワーで繰り返して送信されるようにすることを特徴とする、
パワー制御の装置。
【請求項１２】
プリアンブルのパワーを調整する方法において、
計算した理想パワーでプリアンブルを送信し、
当該計算した理想パワーが最大許容パワーよりも大きい場合、前記プリアンブルを最大許容パワーで送信し、
確認メッセージを受信した場合、アクセスメッセージ（ＲＡＣＨメッセージ）を送信し、
確認メッセージを受信しない場合、前記の理想パワーをインクリメントにより新たに計算して前記プリアンブルを新たに送信することを特徴とする、
プリアンブルのパワーを調整する方法。
【請求項１３】
前記の計算した理想パワーが、所定の閾値分だけ最大許容パワーを上回った場合に前記方法を終了する、
請求項１２に記載の方法。
【請求項１４】
前記の計算した理想パワーが、指定された最小のパワーよりも小さい場合、当該の計算した理想パワーと、指定された最小パワーとの間にあるパワーでプリアンブルを送信する、
請求項１２または１３に記載の方法。
【請求項１５】
プリアンブルのパワーを調整する方法において、
計算した理想パワーでプリアンブルを送信し、
当該計算した理想パワーが、指定された最小のパワーよりも小さい場合、当該の計算した理想パワーと、指定された最小のパワーとの間にあるパワーでプリアンブルを送信し、
確認メッセージを受信した場合、アクセスメッセージ（ＲＡＣＨメッセージ）を送信し、
確認メッセージを受信しない場合、前記理想パワーをインクリメントにより新たに計算することを特徴とする、
プリアンブルのパワーを調整する方法。
【請求項１６】
イニシアティブな伝送により通信を開始する方法において、
イニシアティブな伝送が成功したことを確認し、
確認がない際には当該のイニシアティブな伝送を、インクリメントされたパワーで繰り返し、
パワー境界値にて繰り返される伝送の数を、所定の数によって制限することを特徴とする、
通信を開始する方法。
【請求項１７】
最後に使用したパワーをインクリメントするのではなく、最小のパワーについての制限がなかった場合には最後に使用されるはずだったパワーをインクリメントし、
当該の最小のパワーについての制限を、つぎの理想パワーの計算後に考慮する、
請求項１６に記載の方法。
【請求項１８】
同じパワーによる伝送の試行を所定の試行数だけ行い、
引き続き、最後に使用したパワーに基づいてパワーのインクリメントを行う、
請求項１６または１７に記載の方法。
【請求項１９】
開ループパワー制御によって比較的小さな値が提示され得る場合、前記の最初の理想パワーを所定値によって制限する、
請求項１６または１７に記載の方法。
【請求項２０】
高々所定の最大数の伝送試行を最大パワーで行う、
請求項１６に記載の方法。
【請求項２１】
移動局の最大パワーについての制限を考慮しない場合、伝送が行われ得るパワーを所定の大きさに制限する、
請求項１６または２０に記載の方法。
【請求項２２】
後続の伝送に対するパワー要求を考慮して、最初の伝送試行の数またはパワーを制限する、
請求項１６または２０または２１のいずれか１項に記載の方法。
【請求項２３】
通信を開始する装置において、
請求項１から１０まで、または請求項１２から２２までのいずれか１項に記載の方法を実施する手段を有することを特徴とする、
通信を開始する装置。
【発明の詳細な説明】
【０００１】
本発明は、通信、殊に通信コネクションを開始する方法および装置に関する。本発明は、例えばパワー制御の開始ないしはパワー制御のための方法および装置に関する。
【０００２】
移動無線システムの枠内で公知であるのは、移動局、例えば移動電話（利用者装置ＵＥ＝Ｕｓｅｒ Ｅｑｕｉｐｍｅｎｔとも称する）から基地局に（ノードＢとも称する）に初期化信号を送信することにより、通信の開始ないしは起動することである。ここで初期化信号とは、いわゆるＲＡＣＨ（Ｒａｎｄｏｍ Ａｃｃｅｓｓ Ｃｈａｎｎｅｌ）メッセージまたはプリアンブル、すなわち使用され得るＲＡＣＨの前の固有のメッセージのことである。
【０００３】
ＣＤＭＡ（Ｃｏｄｅ Ｄｉｖｉｓｉｏｎ Ｍｕｌｔｉｐｌｅ Ａｃｃｅｓｓ）システム、例えばＵＭＴＳ（Ｕｎｉｖｅｒｓａｌ Ｍｏｂｉｌｅ Ｔｅｌｅｃｏｍｍｕｎｉｃａｔｉｏｎ Ｓｙｓｔｅｍ）の殊に重要な要素をなすのがパワー制御である。データの伝送に対して使用される閉ループパワー制御方式は、開始のためのＲＡＣＨ伝送に対しては使用できない。それはこの方式が、伝送の前には実行できないためである。したがって開始のためのＲＡＣＨ伝送に対しては、いわゆる開ループパワーコントロール方式が使用される。この方式によっては、理想的なアップリンクパワー（移動局から基地局に送信され、受信に必要なパワーで基地局に到着する信号のパワー）を高い精度で求めることはできないため、付加的にいわゆるパワーランピング（ｐｏｗｅｒ ｒａｍｐｉｎｇ）方式が使用され、ここではＲＡＣＨメッセージが、増大するパワーで繰り返されて移動局から送信される。送信されたＲＡＣＨメッセージのパワーが小さすぎる場合、このメッセージは基地局によって受信されず、基地局から移動局に確認メッセージが通知されずに、移動局から基地局へのＲＡＣＨメッセージの伝送がより大きなパワーで繰り返されるのである。ＲＡＣＨメッセージのパワーが十分に大きい場合、このメッセージは基地局によって受信され、確認メッセージが基地局から移動局に通知される。完全なＲＡＣＨメッセージの代わりに短縮化された信号、いわゆるプリアンブルだけを送信することも可能である。
【０００４】
このような方法は、例えばＥＰ０９１７３０４Ａ２から公知である。ここでは開始のための信号の伝送が、求めた初期パワーから出発して、増大するパワーで繰り返され、ここでこの繰り返しは、確認メッセージが受信されるか、または繰り返し数が閾値を上回るまで行われる。確認メッセージが受信された場合、データの伝送が引き続いて行われる。繰り返し数が閾値を上回った場合、この方法が、開始のための信号を初期パワーで伝送することにより再度スタートされる。
【０００５】
この種の方法をさらに発展させたものが”ＥＴＳＩ ＴＳ １２５．２１４， Ｖ３．４．０−ＤＲＡＦＴ（２０００−９）， ＵＭＴＳ， Ｐｈｙｓｉｃａｌ ｌａｙｅｒ ｐｒｏｃｅｄｕｒｅｓ （ＦＤＤ）， （Ｒｅｌｅａｓｅ １９９９）”から公知である。ここでは例えば第６．１章にいわゆるランダムアクセスプロシージャ（Ｒａｎｄｏｍ Ａｃｃｅｓｓ Ｐｒｏｃｅｄｕｒｅ）が記載されており、これには一般的には通信の開始が記載されており、また殊にステップ４〜７および９〜１０においてはパワー制御の開始が記載されている。ここでは、移動局から基地局に送信される開始のためのメッセージはプリアンブルと称される。以下ではこの方法を手短に説明し、その際に分かりやすくするために、パワー制御方法の理解には必要でないステップについては説明せず、例えば、相異なる移動局に別個のスロット（タイムスロット）ないしはチャネルを割り当てることについては詳しく扱わない。
【０００６】
６．１に記載されている方法のステップ４では、プリアンブルの伝送の繰り返しをカウントするためのカウンタを値Ｐｒｅａｍｂｌｅ＿Ｒｅｔｒａｎｓ＿Ｍａｘにセットする。
【０００７】
ステップ５ではプリアンブルを伝送するためのパワーをＰｒｅａｍｂｌｅ＿Ｉｎｉｔｉａｌ＿Ｐｏｗｅｒ（初期パワー）にセットする。
【０００８】
ステップ６では、１アクセスタイムスロットにおいてパワーｐｒｅａｍｂｌｅ ｔｒａｎｓｍｉｓｓｉｏｎ ｐｏｗｅｒでプリアンブルを移動局から基地局に送信する。
【０００９】
ステップ７において移動局側で確認メッセージ（肯定の確認メッセージ（”ｐｏｓｉｔｉｖｅ ａｃｑｕｉｓｉｔｉｏｎ ｉｎｄｉｃａｔｏｒ”）も、否定の確認メッセージ（”ｎｅｇａｔｉｖｅ ａｃｑｕｉｓｉｔｉｏｎ ｉｎｄｉｃａｔｏｒ”））も共に検出されない場合、ステップ７．３においてプリアンブルを送信するパワーをΔＰ０ ＝ Ｐｏｗｅｒ＿Ｒａｍｐ＿Ｓｔｅｐ ［ｄＢ］だけ増大させる。
【００１０】
ステップ７．４では、プリアンブルの伝送の繰り返しをカウントするカウンタを１つだけ減少させる。
【００１１】
ステップ７．５においてプリアンブルの伝送の繰り返しをカウントするこのカウンタが０よりも大である場合はステップ６に進み、そうでない場合には、確認メッセージが受信されなかったことが決定され、このプロシージャを離れる。
【００１２】
否定の確認メッセージが受信される場合、ステップ８においてこのプロシージャを離れる。
【００１３】
ステップ９では（肯定の確認メッセージ（”ｐｏｓｉｔｉｖｅ ａｃｑｕｉｓｉｔｉｏｎ ｉｎｄｉｃａｔｏｒ”）が受信された場合）、Ｒａｎｄｏｍ Ａｃｃｅｓｓメッセージを基地局に送信する。
【００１４】
ステップ１０では、このＲａｎｄｏｍ Ａｃｃｅｓｓメッセージが伝送されたことを確定する。
【００１５】
しかしながら実践的には、移動無線システム内の移動局が送信してもよいパワーは最大パワーによって制限され、これを上回ると、例えば、位相精度または変調精度の悪化に起因して、伝送品質が劣化しまう可能性がある。またセル間のパワーは、干渉を低減するために個別に制限がなされる可能性もある。さらに移動局の最大パワーは、規制によって、または適用すべき規格によって制限され得る。また移動局は、任意の小さなパワーで送信を行うことができない。したがって移動無線規格では、移動局が送信することの可能な最小のパワーが決定されるのである。
【００１６】
本発明の課題は、通信を開始する方法および装置、殊にパワー制御の方法および装置を提供することでもあり、ここではこのパワー制御によって、移動局の送信パワーについての（実践的に設定される）制限が考慮され、これにより、従来技術よりも消費されるエネルギーが少なく、ないしは移動無線システムにおける干渉が発生しないようにされる。
【００１７】
この課題は、請求項１，１１，１２，１５，１６，２３の特徴部分に記載された特徴的構成によって解決される。有利な発展形態は、従属請求項に記載されている。
【００１８】
これによれば本発明は、殊につぎのようなアイデアに基づいている。すなわち、プリアンブルを送信するパワーを段階的に増大させて（パワーランピング）、極値に相応するパワーで送信が繰り返して行われるようにするというアイデアに基づいており、ここでこのパワーは少なくとも１つの上記の極値によって制限される。
【００１９】
同じパワーで繰り返すことは有利である。それは、小さすぎるパワーでプリアンブルを送信したことの他にも、確認メッセージが受信されない偶然または一時的な別の理由があり得るからである。このような理由としては、伝送チャネルにおける衝突、突然の一時的な干渉、一時的な大きな減衰または確認メッセージの伝送におけるエラーその他がある。
【００２０】
変形実施形態に応じて、確認メッセージは、肯定および／または否定の確認メッセージとすることも可能であり、これは、確認信号と称したり、確認信号として実現することが可能である。この信号は、例えばただ１つの値または相異なる２つの値をとることができる。
【００２１】
しかしながら有意義でないのは、同じパワーによるプリアンブルの送信を無制限に繰り返すことである。それは繰り返しの度に、確認メッセージが受信されない理由がプリアンブルの小さすぎるパワーに起因する確率が高くなるからである。したがって本発明の発展形態では、所定の繰り返し数の後または別の条件の発生後、同じパワーによるプリアンブルの繰り返しの送信を終了する。
【００２２】
ここで上記の最大の極値は、例えば、移動無線システムの規格によって決定することができ、ここでこの規格の枠内で本発明が使用される。
【００２３】
上記の最小の極値は、例えば、移動無線システムの規格によって決定することもでき、ここでこの規格の枠内で本発明が使用される。または上記の最小の極値は、移動局の製造者によって指定された値とすることができ、ここでこの値は、例えば、移動局によって実現可能な最小の送信パワーに相応する（移動無線システムは、例えば、移動局が少なくとも到達できなければならない最小の送信パワーの値を決定することができる。しかしながらこの移動局は、より小さな送信パワーで送信してもよい）。
【００２４】
本発明の枠内では、「境界の外部」、「境界内」、「境界の間」、「より大きい」、「より小さい」などの表し方は、変形実施形態に応じて、相応する境界が、相応する区間に所属すること、または相応する境界が、相応する区間に所属しないことを意味し得る。
【００２５】
１変形実施形態では、理想パワーの最初の計算、すなわち、先行する基準値がないためにインクリメントができない初期パワーの計算をいわゆる開ループパワー制御によって代替する。ここで移動局によって求められるのは、どの位の出力で基地局から送信された信号が移動局に到着するかであり、またここから推定されるのは、どの位の出力で移動局がプリアンブルを送信しなければならないかである。この場合、最初に計算されるこのパワーが、求める初期パワーに相応する。
【００２６】
上記の課題を解決するために装置も設けられており、これは、上記の方法を実施しかつ相応する発展形態の実施するために構成された制御装置を有する。
【００２７】
本発明を以下、有利な実施例に基づき詳しく説明する。これらの説明に、以下に列挙する図面を使用する。
【００２８】
図１は、移動局のブロック回路図であり、
図２は、通信を開始する方法の簡略された流れ図である。
【００２９】
図１には移動局ＭＳが示されており、これは、例えばＵＭＴＳ移動電話であり、プリアンブルを送信しまた制御データおよび有効データを送信する送信装置ＳＥと、確認メッセージを受信しまた制御データおよび有効データを受信する受信装置ＥＥとを有する。
【００３０】
上記の受信装置および送信装置は制御装置ＳＴＥによって制御され、この制御装置は、プログラム技術的に有利に構成されたマイクロコントローラまたは相応の有利な回路を含むことが可能である。
【００３１】
移動局の詳細な実現についてはここでは詳しく扱わない。それはこのような移動局は当業者には公知だからである。また本発明の枠内にある方法を実施する制御装置を構成することは、この明細書の知識があれば、当業者が扱える範囲内である。
【００３２】
図２には基地局と移動局との間における通信の開始が示されており、これは移動局から送信すべきプリアンブルの初期パワーを推定する（開ループパワー制御）ことによって開始される。引き続いてプリアンブルのパワーの段階的な増大（パワーランピング）が行われ、ここでこれは基地局が上記のプリアンブルを受信ないしは検出して、相応する確認メッセージを移動局に送信し、この移動局が確認メッセージを受信ないしは検出するまで行われる。確認メッセージが受信されると、この方法はＲＡＣＨメッセージの送信によって先に進む。プリアンブルのパワーの段階的な増大に対する中断判定基準として、カウンタ閾値を上回ったことないしは下回ったこと、またはプリアンブルの送信のために計算された理想パワーが最大の極値パワーを閾値分だけ上回ったことを使用する。ここで括弧に第２の番号付けが示されており、これによって冒頭に示したＥＴＳＩ文書に対するこの方法の関係および違いが明らかにされる。
【００３３】
図２に示した方法のステップ２１（ステップ４）ではプリアンブルの伝送の繰り返しをカウントするカウンタを値”Ｐｒｅａｍｂｌｅ Ｒｅｔｒａｎｓ Ｍａｘ”にセットする。
【００３４】
ステップ２２（ステップ５）では、計算したプリアンブルの理想パワー（命令されたパワー）を値Ｐｒｅａｍｂｌｅ＿Ｉｎｉｔｉａｌ＿Ｐｏｗｅｒ（初期パワー）にセットする。これは開ループパワー制御方式によって求められる。
【００３５】
ステップ２３（ステップ６に対する補足）では、計算した理想パワーと、最大許容パワー（最大の極値パワー）とを比較する。計算した理想パワーが、最大許容パワーよりも大きい場合、プリアンブルのパワーをステップ２４において最大許容パワーにセットし、プリアンブルをステップ２８においてこのパワーで送信する。
【００３６】
計算した理想パワーが、最大許容パワーよりも小さいかまたは最大許容パワーと等しい場合、ステップ２５において、計算した理想パワーと、（移動無線システムの規格によってまたは移動無線システム運用者によってまたは製造者によって）指定された最小パワー（最小の極値パワー）とを比較する。計算した理想パワーが、指定された最小パワーよりも小さい場合、プリアンブルのパワーをステップ２６において、計算した理想パワーと最小のパワーとの間にある値にセットし、プリアンブルをステップ２８においてこのパワーで送信する。これが殊に有利であるのは、移動局が、指定された最小のパワーよりも小さなパワーで送信できる場合である。このステップの１つの結果となり得るのは、開ループパワー制御によって求めたＰｒｅａｍｂｌｅ＿Ｉｎｉｔｉａｌ＿Ｐｏｗｅｒ（初期パワー）が、決定した最小パワーを下回る程度に応じて、計算した理想パワーと最小パワーとの間の同じパワーで複数回にわたって送信が行われることである。開ループパワー制御により、プリアンブルに対して小さな初期パワーが推定される場合、このことが示唆するのは、この初期パワーで送信されるプリアンブルが高い確率で基地局によって受信されるはずであるということである。しかしながら、（確認メッセージが受信されない）プリアンブルの送信失敗は、伝送チャネルにおける衝突、突然の一時的な干渉、一時的な大きな減衰または確認メッセージの伝送におけるエラーに起因し得る。したがって同じ小さなパワーでプリアンブルをこのように繰り返して送信することが有意義なのである。
【００３７】
計算した理想パワーが、最大許容パワーよりも小さいかまたは最大許容パワーと等しく、かつ決定した最小パワーよりも大きいかまたは決定した最小パワーと等しい場合、ステップ２７においてプリアンブルのパワーを、計算した理想パワーの値にセットして、プリアンブルをステップ２８においてこのパワーで送信する。
【００３８】
すなわちステップ２３〜２８（ステップ６）では、１アクセスタイムスロットにおいて移動局から基地局に、計算した理想パワーでプリアンブルを送信し、この際に、計算したプリアンブルの理想パワー（命令されたパワー）が、最大許容パワーを上回る場合、移動局はこの最大許容パワーで送信し、計算したプリアンブルの理想パワー（命令されたパワー）が、指定された最小パワーを下回る場合、移動局は、計算したプリアンブルの理想パワー（命令されたパワー）と、指定された最小パワーとの間にあるパワーで送信する。
【００３９】
ステップ２９では、例えば、タイマの経過によって求めることのできる所定の時間の間、確認メッセージの受信を待つ。
【００４０】
この時間の間に、”ａｃｑｕｉｓｉｔｉｏｎ ｉｎｄｉｃａｔｏｒ”とも称される確認メッセージが受信されない場合（ステップ７．１）、ステップ２１１（ステップ７．３）において理想パワーを、最後に計算した理想パワーをΔＰ０ ＝ Ｐｏｗｅｒ Ｒａｍｐ Ｓｔｅｐ ［ｄＢ］だけインクリメントすることによって新たに計算する。ステップ２１２では、新たに計算したこの理想パワー（命令されたパワー）が、最大許容パワーを、少なくとも１つのあらかじめ設定した閾値だけ、例えば少なくとも６ｄＢだけ上回っているか否かがチェックされる。上回っている場合、確認メッセージが受信されなかったことが決定され、このプロシージャはＥからでる。１変形実施形態では、この場合（少なくとも１つの所定値、例えば６ｄＢを上回る場合）にもこの方法はステップ２１２に進む。
【００４１】
ステップ２１２で、新たに計算した理想パワーが、少なくとも所定の閾値分だけ、例えば少なくとも６ｄＢだけ最大許容パワーを上回っていない場合、ステップ２１３（ステップ７．４）において、プリアンブルの伝送の繰り返しをカウントするカウンタを１だけ減少させる。ステップ２１４（ステップ７．５）において新たなカウント状態が０より大の場合、この方法はステップ２３に進む。そうでなければ、確認メッセージは受信されないことが決定され、このプロシージャはＥからでる。
【００４２】
ステップ２９において肯定の確認メッセージ（”ｐｏｓｉｔｉｖｅ ａｃｑｕｉｓｉｔｉｏｎ ｉｎｄｉｃａｔｏｒ”）が受信される場合、ステップ２１０においてＲＡＣＨメッセージが基地局に送信される（ステップ９）。これに対してステップ２９において否定の確認メッセージ（”ｎｅｇａｔｉｖｅ ａｃｑｕｉｓｉｔｉｏｎ ｉｎｄｉｃａｔｏｒ”）が受信される場合（ステップ８）、Ｅからこのプロシージャを出ることになる。
【００４３】
この場合、後続のデータ伝送における信号のパワーは、確認メッセージによってその受信が確認された、最後に送信したプリアンブルのパワーに基づく。ここで後続のこの伝送に有利に使用されるべきパワーは、データレートに依存する。例えば、高いデータレートにおいて有利であり得るのは、このパワーを、最後に送信したプリアンブルのパワーよりも高く選択することである。ＵＭＴＳでは、このパワーの差分を、パラメタΔＰｐ−ｍ［ｄＢ］によって表す。
【００４４】
本発明の変形実施形態ではステップ２１２においてカウンタにより、最大許容パワーで繰り返されたプリアンブルの伝送の数をカウントする。所定の数を上回った際にはこのプロシージャを出る。これはつぎのようにして実現することも可能である。すなわち、計算した理想パワーが、所定の閾値パワーＰｍａｘを上回った場合に、このプロシージャを出ることによって実現することも可能である。２つの変形実施形態間の違いは、パワーのインクリメントの変化によって、第２の場合には繰り返し数が変わるのに対して、第１の場合には変わらないことである。第２の場合に有利であるのは、衝突の確率が高い状況において有利に選択された小さなインクリメントが、まさにこの状況において理にかなった過多の繰り返しに結び付くことである。
【００４５】
本発明の別の変形実施形態では、ステップ２６において、プリアンブルのパワーを、決定した最小パワーにセットする。
【００４６】
本発明の別の変形実施形態では、一定のパワーによるプリアンブルの繰り返しの送信を、所定の繰り返し数Ｎｍｉｎの後で中断し、最後に送信したプリアンブルのパワーをインクリメントすることによって新たな理想パワーを計算する。これが行われるのは、最後に送信したプリアンブルの出力が、最小の極値パワーと、計算した理想パワーとの間にある場合である。これによって阻止されるのは、多くの繰り返しにおいて、小さすぎるパワーで無駄に送信されることであり、ここでこれは例えば開ループパワー制御により、初期パワーよりも格段に小さな値が求められる場合である。これは例えば、初期パワーを少なくともつぎの値にセットすることによって実現され、ここでこの値は、指定された最小パワー−Ｎｍｉｎ＊インクリメントから計算される。これにより、指定された最小のパワーでＮｍｉｎ回のプリアンブルの伝送が行われ、確認メッセージが受信されなかった場合には、続いてより大きなパワーで伝送が行われる。
【００４７】
さらに本発明の変形実施形態では、上記のパワー制御に続くデータ伝送のパワー要求を考慮して、プリアンブルの送信の繰り返し数を減少させる。これにより、データ伝送に必要なパワーが、プリアンブルの送信に必要なパワーよりも大きい場合、パワーランピングプロシージャをすでに前に中断することができる。したがってつぎのような状況が存在する。すなわち所定のパワーでプリアンブルを伝送しなければならないが、後続のデータ伝送では、このデータ伝送の所定の事情に起因して格段に大きなパワーまたは格段に小さなパワーが有利になり得る状況が存在するのである。例えば、殊に高いデータレートによるデータ伝送によっては、ＲＡＣＨメッセージのパワーに対して格段に大きいパワーだけでしか行われ得ないものがあるのである。このような事情が前もって既知である場合、このことを考慮した固有の最大値によってプリアンブルないしはＲＡＣＨメッセージのパワーを、制限することが有利であり得る。例えば、高いデータレートによるデータ伝送が、プリアンブルないしはＲＡＣＨメッセージの伝送よりも１０ｄＢだけ大きなパワーを必要とする場合、プリアンブルないしはＲＡＣＨメッセージのパワーを、最大許容パワーよりも１０ｄＢまたは１０−ｘ ｄＢ下にある値によって制限することが有利なことがあり得る。
【００４８】
上記に説明した本発明の変形実施形態の他に本発明の枠内には別の多くの実施形態がある。これらについてはここではさらに説明しないが、上記の実施例に基づいて簡単に実践に移すことができる。例えば、上記の方法におけるステップの順番は変更することができ、また複数のステップを挿入したり省略することができる。変更／挿入されるステップを有するこのような方法の例は、ＣＰＣＨアクセスプロシージャであり、これは冒頭に挙げたＥＳＴＩ文書の第６．２章に記載されている。本明細書の知識があれば、ＣＰＣＨアクセスプロシージャにおいて本発明を使用することは当業者がなし得ることである。
【図面の簡単な説明】
【図１】
移動局のブロック回路図である。
【図２】
通信を開始する方法の簡略された流れ図である。
【国際公開パンフレット】
2004511951.tif 000003
2004511951.tif 000004
2004511951.tif 000005
2004511951.tif 000006
2004511951.tif 000007
2004511951.tif 000008
2004511951.tif 000009
2004511951.tif 000010
2004511951.tif 000011
2004511951.tif 000012
2004511951.tif 000013
2004511951.tif 000014
2004511951.tif 000015
2004511951.tif 000016
2004511951.tif 000017
2004511951.tif 000018
2004511951.tif 000019
2004511951.tif 000020
2004511951.tif 000021
2004511951.tif 000022
2004511951.tif 000023
2004511951.tif 000024
2004511951.tif 000025
2004511951.tif 000026
【国際調査報告】
2004511951.tif 000027
2004511951.tif 000028
2004511951.tif 000029
2004511951.tif 000030
2004511951.tif 000031
2004511951.tif 000032